(57)【要約】【課題】光学レイアウトをコンパクト化して、コリメートレンズを１つにすることができ、コスト低減を図ることができるレーザ光源装置及び画像表示装置を提供すること。【解決手段】レーザ光源装置は、緑色レーザ光源装置２から出射される低ＮＡ（広がり角）が小さい緑レーザ光と、緑色レーザ光を赤、青レーザ光と同等のＮＡ（広がり角）に調整する角度調整素子１０と、緑、赤、青レーザ光源装置２〜４から出射される各色のレーザ光を平行ビームに変換する共通コリメータレンズ１１とを備え、角度調整素子１０は、緑色レーザ光が、赤、青色レーザ光と干渉しない位置に配置されている。【選択図】図３
2013145302.tif 000002
【特許請求の範囲】
【請求項１】
緑、赤、青色レーザ光を出力する緑、赤、青レーザ光源装置と、
緑色レーザ光を赤、青色レーザ光と同等の広がり角に調整する角度調整素子と、
前記緑、赤、青レーザ光源装置から出射される各色のレーザ光を平行ビームに変換する共通コリメータレンズと、を備え、
前記角度調整素子は、緑色レーザ光が、赤、青色レーザ光と干渉しない位置に配置された、レーザ光源装置。
【請求項２】
前記角度調整素子は、緑色レーザ光の光軸上において、前記赤レーザ光源装置及び前記青レーザ光源装置の発光面よりも投射側で、かつ、赤、青色レーザ光と干渉しない位置に配置された、請求項１記載のレーザ光源装置。
【請求項３】
前記角度調整素子は、緑色レーザ光の光軸上において、前記赤レーザ光源装置及び前記青レーザ光源装置の発光面よりも後側で、かつ、赤、青色レーザ光と干渉しない位置に配置された、請求項１記載のレーザ光源装置。
【請求項４】
前記緑、赤、青レーザ光源装置の少なくとも一つは、光軸が前記共通コリメータレンズの中心に向かうように傾けて配置された、請求項１記載のレーザ光源装置。
【請求項５】
前記緑レーザ光源装置は、前記赤レーザ光源装置と前記青レーザ光源装置との間に配置された、請求項１記載のレーザ光源装置。
【請求項６】
前記緑、赤、青レーザ光源装置は、同一平面上に配置された、請求項１記載のレーザ光源装置。
【請求項７】
請求項１乃至６のいずれか一項に記載のレーザ光源装置を備える画像表示装置。
【発明の詳細な説明】
【技術分野】
【０００１】
本発明は、半導体レーザを用いたレーザ光源装置及び画像表示装置に関し、例えば画像表示装置の光源に用いられるレーザ光源装置に関する。
【背景技術】
【０００２】
近年、画像表示装置の光源に半導体レーザを用いる技術が注目されている。この半導体レーザは、従来から画像表示装置に多用されてきた水銀ランプに比較して、色再現性がよい点、瞬時点灯が可能である点、長寿命である点、高効率で消費電力を低減できる点、並びに小型化が容易である点など、種々の利点を有している。
【０００３】
このような画像表示装置では、光の３原色である赤、緑、青のレーザ光が必要とされる。しかしながら、緑色レーザ光を直接出力する半導体レーザに高出力のものがない。このため、画像表示装置に用いられるレーザ光源装置において、半導体レーザから励起用レーザ光を出力させ、この励起用レーザ光で固体レーザ素子を励起させて赤外レーザ光を出力させ、この赤外レーザ光の波長を「波長変換素子」で変換して緑色レーザ光を出力するようにした技術が知られている（例えば特許文献１参照）。
【０００４】
この緑色レーザ光源装置は、励起用レーザ光を出力する半導体レーザと、励起用レーザ光により励起されて基本レーザ光（赤外レーザ光）を出力する固体レーザ素子と、基本レーザ光の波長を変換して半波長レーザ光（緑色レーザ光）を出力する波長変換素子と、固体レーザ素子とともに共振器を構成する凹面ミラーと、を備えている。
【０００５】
また、リレー光学系は、各レーザ光源装置から出射される各色のレーザ光を平行ビームに変換する各コリメータレンズと、各コリメータレンズを通過した各色のレーザ光を所要の方向に導く第１及び第２のダイクロイックミラーと、ダイクロイックミラーにより導かれたレーザ光を拡散させる拡散板と、拡散板を通過したレーザ光を収束レーザに変換するフィールドレンズと、を備えている。
【先行技術文献】
【特許文献】
【０００６】
【特許文献１】特開２００８−１６８３３号公報
【発明の概要】
【発明が解決しようとする課題】
【０００７】
このような従来のレーザ光源装置にあっては、各レーザ光源ごとにコリメートレンズを設ける構成であったため、各コリメートレンズを用意することでコストアップ要因となっている。
【０００８】
本発明の目的は、光学レイアウトをコンパクト化して、コリメートレンズを１つにすることができ、コスト低減を図ることができるレーザ光源装置及び画像表示装置を提供することである。
【課題を解決するための手段】
【０００９】
本発明のレーザ光源装置は、緑、赤、青色レーザ光を出力する緑、赤、青レーザ光源装置と、緑色レーザ光を赤、青色レーザ光と同等の広がり角に調整する角度調整素子と、前記緑、赤、青レーザ光源装置から出射される各色のレーザ光を平行ビームに変換する共通コリメータレンズと、を備え、前記角度調整素子は、緑色レーザ光が、赤、青色レーザ光と干渉しない位置に配置された、構成を採る。
【００１０】
本発明の画像表示装置は、上記レーザ光源装置を備える構成を採る。
【発明の効果】
【００１１】
本発明によれば、コンパクトな光学レイアウトでコリメートレンズを１つにすることができ、コスト低減を図ることができる。
【図面の簡単な説明】
【００１２】
【図１】本発明の実施の形態１に係るレーザ光源装置を備える画像表示装置の概略図
【図２】上記実施の形態１に係るレーザ光源装置におけるレーザ光の状況を示す模式図
【図３】上記実施の形態１に係るレーザ光源装置の光源配置を説明する図
【図４】上記実施の形態１に係るレーザ光源装置の傾け配置を説明する図
【図５】本発明の実施の形態２に係るレーザ光源装置の光源配置を説明する図
【図６】本発明の実施の形態３に係るレーザ光源装置を備える本画像表示装置をノート型の情報処理装置に内蔵した例を示す斜視図
【発明を実施するための形態】
【００１３】
以下、本発明の実施の形態について図面を参照して詳細に説明する。
【００１４】
（実施の形態１）
図１は、本発明の実施の形態１に係るレーザ光源装置を備える画像表示装置の概略図である。
【００１５】
図１に示すように、画像表示装置１は、所要の画像をスクリーンに投影表示する。画像表示装置１は、緑色レーザ光を出力する緑色レーザ光源装置２と、赤色レーザ光を出力する赤色レーザ光源装置３と、青色レーザ光を出力する青色レーザ光源装置４と、映像信号に応じて各レーザ光源装置２〜４からのレーザ光の変調を行う液晶反射型の空間光変調器５と、各レーザ光源装置２〜４からのレーザ光を反射させて空間光変調器５に照射させるとともに空間光変調器５から出射された変調レーザ光を透過させる偏光ビームスプリッタ６と、各レーザ光源装置２〜４から出射されるレーザ光を偏光ビームスプリッタ６に導くリレー光学系７と、偏光ビームスプリッタ６を透過した変調レーザ光をスクリーンＳに投射する投射光学系８と、を備える。
【００１６】
リレー光学系７は、緑色レーザ光源装置２から出射される低ＮＡ（広がり角）が小さい緑レーザ光と、緑色レーザ光を赤、青レーザ光と同等のＮＡ（広がり角）に調整する角度調整素子１０と、緑、赤、青レーザ光源装置２〜４から出射される各色のレーザ光を平行ビームに変換する共通コリメータレンズ１１と、共通コリメータレンズ１１を通過した各色のレーザ光を所要の方向に導く第１、第２、第３のダイクロイックミラー１２、１３、１４と、ダイクロイックミラー１２、１３、１４により導かれたレーザ光を拡散させる拡散板１５と、拡散板１５を通過したレーザ光を収束レーザに変換するフィールドレンズ１６と、を備えている。
【００１７】
角度調整素子１０は、緑色レーザ光を赤、青レーザ光と同等のＮＡ（広がり角。放射角ともいう。）に調整する。赤、青レーザ光は、６０°程度のＮＡを有するのに対し、緑色レーザ光は、２〜３°のＮＡしかなく、緑色レーザ光のＮＡを、赤、青レーザ光のＮＡと同等に調整する必要がある。このため、角度調整素子１０は、具体的には、緑色レーザ光のＮＡを所定のＮＡまで広げる拡散素子である。角度調整素子１０は、緑色レーザ光のＮＡ（広がり角）を広げる機能を有していればどのようなものでもよい。例えば、角度調整素子１０は、屈折の機能をもった凹レンズ、また回折などの機能を持った拡散板などがある。なお、以下の図において、説明の便宜上、凹レンズを例にとる。
【００１８】
緑色レーザ光源装置２から緑色レーザ光の光軸に対して、青色レーザ光の光軸及び赤色レーザ光の光軸が互いに向きあい、所望の角度を傾けた配置となっている。また３つのダイクロイックミラー１２、１３、１４は、互いに赤色、緑色、青色レーザ光の光軸に対して、所望の角度を傾けた配置をしており、青色レーザ光、赤色レーザ光、及び緑色レーザ光が、３つのダイクロイックミラー１２、１３、１４で同一の光路に導かれる。
【００１９】
ダイクロイックミラー１２、１３、１４は、表面に所定の波長のレーザ光を透過及び反射させるための膜が形成されている。ダイクロイックミラー１２は赤色レーザ光を反射させる。ダイクロイックミラー１３は、赤色レーザ光を透過するとともに緑色レーザ光を反射させる。ダイクロイックミラー１４は、赤色レーザ光と緑色レーザ光を透過するとともに青色レーザ光を反射させる。
【００２０】
これらの各光学部材は、筐体２１に支持されている。筐体２１は、各レーザ光源装置２〜４で発生した熱を放熱する放熱体として機能し、アルミニウムや銅などの熱伝導性の高い材料で形成されている。
【００２１】
緑色レーザ光源装置２は、側方に向けて突出した状態で筐体２１に形成された取付部２２に取り付けられている。
【００２２】
赤色レーザ光源装置３及び青色レーザ光源装置４は、いわゆるＣＡＮパッケージで構成され、レーザ光を出力するレーザチップが、ステムに支持された状態で缶状の外装部の中心軸上に光軸が位置するように配置されている。
【００２３】
緑色レーザ光源装置２は、励起用レーザ光を出力する半導体レーザ３１と、半導体レーザ３１から出力された励起用レーザ光を集光する集光レンズであるＦＡＣ（Fast-Axis Collimator）レンズ３２及びロッドレンズ３３と、励起用レーザ光により励起されて基本レーザ光（赤外レーザ光）を出力する固体レーザ素子３４と、基本レーザ光の波長を変換して半波長レーザ光（緑色レーザ光）を出力する波長変換素子（光学素子）３５と、固体レーザ素子３４とともに共振器を構成する凹面ミラー３６と、励起用レーザ光及び基本波長レーザ光の漏洩を阻止するガラスカバー３７と、各部を支持する基台３８と、各部を覆うカバー体３９と、を備えている。
【００２４】
図２は、緑色レーザ光源装置２におけるレーザ光の状況を示す模式図である。
【００２５】
図２に示すように、半導体レーザ３１のレーザチップ４１は、波長８０８ｎｍの励起用レーザ光を出力する。ＦＡＣレンズ３２は、レーザ光のファースト軸（光軸方向に対して直交し且つ図の紙面に沿う方向）の拡がりを低減する。ロッドレンズ３３は、レーザ光のスロー軸（図の紙面に対して直交する方向）の拡がりを低減する。
【００２６】
固体レーザ素子３４は、いわゆる固体レーザ結晶であり、ロッドレンズ３３を通過した波長８０８ｎｍの励起用レーザ光により励起されて波長１０６４ｎｍの基本波長レーザ光（赤外レーザ光）を出力する。この固体レーザ素子３４は、Ｙ（イットリウム）ＶＯ４（バナデート）からなる無機光学活性物質（結晶）にＮｄ（ネオジウム）をドーピングしたものであり、より具体的には、母材であるＹＶＯ４のＹに蛍光を発する元素であるＮｄ＋３に置換してドーピングした。
【００２７】
固体レーザ素子３４におけるロッドレンズ３３に対向する側には、波長８０８ｎｍの励起用レーザ光に対する反射防止と、波長１０６４ｎｍの基本波長レーザ光及び波長５３２ｎｍの半波長レーザ光に対する高反射の機能を有する膜４２が形成されている。固体レーザ素子３４における波長変換素子３５に対向する側には、波長１０６４ｎｍの基本波長レーザ光及び波長５３２ｎｍの半波長レーザ光に対する反射防止の機能を有する膜４３が形成されている。
【００２８】
波長変換素子３５は、いわゆるＳＨＧ（Second Harmonics Generation）素子であり、固体レーザ素子３４から出力される波長１０６４ｎｍの基本波長レーザ光（赤外レーザ光）の波長を変換して波長５３２ｎｍの半波長レーザ光（緑色レーザ光）を生成する。
【００２９】
波長変換素子３５における固体レーザ素子３４に対向する側には、波長１０６４ｎｍの基本波長レーザ光に対する反射防止と、波長５３２ｎｍの半波長レーザ光に対する高反射の機能を有する膜４４が形成されている。波長変換素子３５における出力ミラー３６に対向する側には、波長１０６４ｎｍの基本波長レーザ光及び波長５３２ｎｍの半波長レーザ光に対する反射防止の機能を有する膜４５が形成されている。
【００３０】
出力ミラー３６は、波長変換素子３５に対向する側に凹面を有し、この凹面には、波長１０６４ｎｍの基本波長レーザ光に対する高反射と、波長５３２ｎｍの半波長レーザ光に対する反射防止の機能を有する膜４６が形成されている。これにより、固体レーザ素子３４の膜４２と出力ミラー３６の膜４６との間で、波長１０６４ｎｍの基本波長レーザ光が共振して増幅される。
【００３１】
波長変換素子３５では、固体レーザ素子３４から入射した波長１０６４ｎｍの基本波長レーザ光の一部が波長５３２ｎｍの半波長レーザ光に変換され、変換されずに波長変換素子３５を通過した波長１０６４ｎｍの基本波長レーザ光は、出力ミラー３６で反射されて波長変換素子３５に再度入射し、波長５３２ｎｍの半波長レーザ光に変換される。この波長５３２ｎｍの半波長レーザ光は、波長変換素子３５の膜４４で反射されて波長変換素子３５から出射される。
【００３２】
ここで、固体レーザ素子３４から波長変換素子３５に入射して波長変換素子３５で波長変換されて波長変換素子３５から出射されるレーザ光のビームＢ１と、出力ミラー３６で一旦反射されて波長変換素子３５に入射して膜４４で反射されて波長変換素子３５から出射されるレーザ光のビームＢ２とが互いに重なり合う状態では、波長５３２ｎｍの半波長レーザ光と波長１０６４ｎｍの基本波長レーザ光とが干渉を起こして出力が低下する。
【００３３】
そこでここでは、波長変換素子３５を光軸方向に対して傾斜させて、入射面及び出射面での屈折作用により、レーザ光のビームＢ１、Ｂ２が互いに重なり合わないようにして、波長５３２ｎｍの半波長レーザ光と波長１０６４ｎｍの基本波長レーザ光との干渉を防ぐようにしており、これにより出力低下を避けることができる。
【００３４】
なお、図１に示したガラスカバー３７には、波長８０８ｎｍの励起用レーザ光及び波長１０６４ｎｍの基本波長レーザ光が外部に漏洩することを防止するため、これらのレーザ光を透過しない膜が形成されている。
【００３５】
以下、上述のように構成されたレーザ光源装置の光源配置について説明する。
【００３６】
図３は、緑、赤、青レーザ光源装置２〜４の光源配置を説明する図である。
【００３７】
本実施の形態のレーザ光源装置のリレー光学系７は、緑色レーザ光源装置２から出射される低ＮＡ（広がり角）が小さい緑レーザ光と、緑色レーザ光を赤、青レーザ光と同等のＮＡ（広がり角）に調整する角度調整素子１０と、緑、赤、青レーザ光源装置２〜４から出射される各色のレーザ光を平行ビームに変換する共通コリメータレンズ１１と、を有する。
【００３８】
（１）１つの共通コリメータレンズ１１使用による緑、赤、青レーザ光源装置２〜４の配置
緑、赤、青レーザ光源装置２〜４から出射される各色のレーザ光は、１つの共通コリメータレンズ１１で共用される。また、本実施の形態では、赤レーザ光源装置３及び青レーザ光源装置４は、共通コリメータレンズ１１の中心に向かうように傾けて配置する。これにより、後述するように共通コリメータレンズ１１の外径を小さくすることができる。
【００３９】
以上から、図３ａに示すように、赤レーザ光源装置３あるいは青レーザ光源装置４の発光面を共通コリメータレンズ１１のそれぞれの焦点距離ｆＲ、ｆＢに配置する。例えば、赤、青レーザ光のＮＡが６０°程度の場合、ｆＲ＝１０．４２（ｍｍ）、ｆＢを＝１０．１６（ｍｍ）とする。焦点距離ｆＲ、ｆＢは、共通コリメータレンズ１１のレンズ径、レンズ材料、曲率、レンズ厚、及び必要な平行ビームのビーム幅を考慮して決定する。
【００４０】
また、図３ｂに示すように、緑色レーザ光源装置２のレーザ光の光軸と赤レーザ光源装置３又は青レーザ光源装置４のレーザ光の光軸とがなす角度αについては前記レンズ径及び後述する光干渉性を考慮して決定する。
【００４１】
（２）緑、赤、青レーザ光源装置２〜４の配置
図３に示すように、緑レーザ光源装置２は、赤レーザ光源装置３及び青レーザ光源装置４の発光面よりも投射側（すなわち共通コリメータレンズ１１側）とは逆の方向に配置されている。放射角の小さい緑レーザ光は、緑レーザ光源装置２から赤レーザ光源装置３と青レーザ光源装置４の間を通して角度調整素子１０に入射される。緑レーザ光源装置２からの緑レーザ光は放射角が小さいため半導体レーザ（例えば、５．６φのＣＡＮパッケージ品）の形状をした赤レーザ光源装置３と青レーザ光源装置４をわずかな距離の間隔を置いて配置することで赤レーザ光源装置３と青レーザ光源装置４と干渉することなしに、角度調整素子１０に入射させることができる。緑、赤、青レーザ光源装置２〜４は、同一平面上に配置される。これにより、緑、赤、青レーザ光源装置２〜４の厚み方向の厚みを低減し、装置全体（ここでは画像表示装置１）の小型・薄型化を図る。
【００４２】
なお、緑、赤、青レーザ光源装置２〜４を、同一平面上に配置することが好ましいが、レーザ光源装置の厚み方向に制限がない場合など、緑、赤、青レーザ光源装置２〜４を、同一平面上に配置しない場合もある。
【００４３】
（３）緑色レーザ光のＮＡを広げる拡散素子である角度調整素子１０の配置
図３ｃに示すように、角度調整素子１０は、赤レーザ光源装置３及び青レーザ光源装置４の発光面よりも投射側（すなわち共通コリメータレンズ１１側）で、かつ赤レーザ光源装置３及び青レーザ光源装置４のレーザ光にかからない（レーザ光に干渉しない）位置に配置する。より詳細には、図３ｃに示すように、青色レーザ光又は赤色レーザ光は、広がりをもった光線であるため、この光線が角度調整素子１０と干渉しない位置に配置する。図３では、角度調整素子１０の角部が、赤レーザ光源装置３又は青レーザ光源装置４のレーザ光に干渉しない位置に、角度調整素子１０を配置している。
【００４４】
ところで、角度調整素子１０が、青色レーザ光及び赤色レーザ光と干渉しない位置、あるいは青色レーザ光源装置４及び赤色レーザ光源装置３が、緑色レーザ光と干渉しない位置は、緑色レーザ光の光軸上において、赤レーザ光源装置３及び青レーザ光源装置４の発光面よりも投射側と、前記発光面よりも後側（投射側と反対側）との、２箇所ある。後者の配置例については、実施の形態２により後述する。
【００４５】
図４は、赤レーザ光源装置３及び青レーザ光源装置４の傾け配置を説明する図である。図４（ａ）は、レーザを傾け配置した場合を、図４（ｂ）は、レーザを傾け配置しない場合をそれぞれ示す。
【００４６】
図４（ａ）に示すように、赤レーザ光源装置３及び青レーザ光源装置４は、共通コリメータレンズ１１の中心に向かうように傾けて配置する。図４（ｂ）に示すレーザを傾け配置しない場合と比べて、共通コリメータレンズ１１Ａの外径寸法を大幅に小さくすることができる。その結果、共通コリメータレンズ１１の大きさを低減し、装置全体（ここでは画像表示装置１）の小型・薄型化を図る。
【００４７】
なお、赤色レーザ光源装置３及び青色レーザ光源装置４は、所望の角度を傾けなくても機能としては問題ない。但し、共通コリメータレンズ１１が大きくなり装置全体の大きさ、厚み、重量が増えるので、所望の角度を傾けたほうが好ましい。
【００４８】
以上詳細に説明したように、本実施の形態のレーザ光源装置は、緑色レーザ光源装置２から出射される低ＮＡ（広がり角）が小さい緑レーザ光と、緑色レーザ光を赤、青レーザ光と同等のＮＡ（広がり角）に調整する角度調整素子１０と、緑、赤、青レーザ光源装置２〜４から出射される各色のレーザ光を平行ビームに変換する共通コリメータレンズ１１とを備え、角度調整素子１０は、緑色レーザ光が、赤、青色レーザ光と干渉しない位置に配置されている。本実施の形態では、角度調整素子１０は、緑色レーザ光の光軸上において、赤レーザ光源装置３及び青レーザ光源装置４の発光面よりも投射側で、かつ、赤、青色レーザ光と干渉しない位置に配置されている。
【００４９】
この構成により、コンパクトな光学レイアウトでコリメートレンズを、１つにすることができ、コスト低減を図ることができる。
【００５０】
また、本実施の形態では、赤色レーザ光源装置３及び青色レーザ光源装置４は、光軸が共通コリメータレンズ１１の中心に向かうように傾けて配置されていることで、共通コリメータレンズ１１の外径を小さくすることができ、装置全体の小型・薄型・軽量化を図ることができる。
【００５１】
また、本実施の形態では、緑、赤、青レーザ光源装置２〜４は、同一平面上に配置されていることで、厚みを低減することができ、装置全体の小型・薄型化を図ることができる。
【００５２】
（実施の形態２）
図５は、本発明の実施の形態２に係るレーザ光源装置の光源配置を説明する図である。図３と同一構成部分には、同一番号を付して重複箇所の説明を省略する。
【００５３】
前記図１及び図５に示すように、角度調整素子１０は、赤レーザ光源装置３及び青レーザ光源装置４の発光面よりも後側に配置されている。
【００５４】
（１）１つの共通コリメータレンズ１１使用による緑、赤、青レーザ光源装置２〜４の配置
実施の形態１と同様に、緑、赤、青レーザ光源装置２〜４から出射される各色のレーザ光は、１つの共通コリメータレンズ１１で共用される。また、本実施の形態では、赤レーザ光源装置３及び青レーザ光源装置４は、共通コリメータレンズ１１の中心に向かうように傾けて配置することで、共通コリメータレンズ１１の外径を小さくすることができる。
【００５５】
（２）緑、赤、青レーザ光源装置２〜４の配置
図５に示すように、緑レーザ光源装置２は、赤レーザ光源装置３及び青レーザ光源装置４の後方に配置されている。緑レーザ光源装置２からの、放射角の小さい緑レーザ光は、角度調整素子１０に入射される。入射しれた緑レーザ光は、角度調整素子１０により赤、青レーザ光と同等のＮＡに広げられ、赤レーザ光源装置３と青レーザ光源装置４の間を通して共通コリメータレンズ１１に入射される。
【００５６】
また、緑、赤、青レーザ光源装置２〜４は、同一平面上に配置されることで、緑、赤、青レーザ光源装置２〜４の厚み方向の厚みを低減し、装置全体の小型・薄型化を図ることができる。
【００５７】
（３）緑色レーザ光のＮＡを広げる拡散素子である角度調整素子１０の配置
図５に示すように、角度調整素子１０は、赤レーザ光源装置３及び青レーザ光源装置４の発光面よりも後方の位置に配置する。また、図５ａに示すように、赤レーザ光源装置３及び青レーザ光源装置４は、半導体レーザ（例えば、５．６φのＣＡＮパッケージ品）の形状をしており、角度調整素子１０からの緑色レーザ光は広がりをもった光線であるため、この光線が赤レーザ光源装置３及び青レーザ光源装置４と干渉しない位置に配置する。図５では、角度調整素子１０からの出射光が、赤レーザ光源装置３又は青レーザ光源装置４のレーザ光に干渉しない位置に、角度調整素子１０を配置している。
【００５８】
このように、本実施の形態によれば、角度調整素子１０は、緑色レーザ光の光軸上において、赤レーザ光源装置３及び青レーザ光源装置４の発光面よりも後側で、かつ、赤、青色レーザ光と干渉しない位置に配置されている。
【００５９】
この構成により、実施の形態１と同様に、コンパクトな光学レイアウトでコリメートレンズを、１つにすることができ、コスト低減を図ることができる。
【００６０】
（実施の形態３）
図６は、本発明の実施の形態３に係るレーザ光源装置を備える本画像表示装置をノート型の情報処理装置に内蔵した例を示す斜視図である。
【００６１】
図６に示すように、情報処理装置１５１の筐体１５２には、画像表示装置１が出没自在に格納される収容スペースが、キーボードの裏面側に形成されている。画像表示装置１は、不使用時には筐体１５２内に収容され、使用時には筐体１５２から引き出される。画像表示装置１は、使用時には、画像表示装置１を回動自在に支持するベース部１５３に対して所要の角度に回動させることで、画像表示装置１からのレーザ光をスクリーンに投射することができる。
【００６２】
以上の説明は本発明の好適な実施の形態の例証であり、本発明の範囲はこれに限定されることはない。
【００６３】
上記各実施の形態では、レーザ光源装置及び画像表示装置という名称を用いたが、これは説明の便宜上であり、レーザ光出力装置、画像投影装置等であってもよい。また、角度調整素子は、凹レンズ、拡散レンズ、拡散板などと呼称してもよい。
【００６４】
また、本画像表示装置をノート型の情報処理装置に適用した例について説明したが、本レーザ光源装置を備えるものであれば、どのような電子機器に適用してもよい。
【産業上の利用可能性】
【００６５】
本発明のレーザ光源装置及び画像表示装置は、コンパクトな光学レイアウトで、コリメートレンズを、１つにして低コスト化を図ることができる効果を有し、画像表示装置の光源に用いられるレーザ光源装置などとして有用である。
【符号の説明】
【００６６】
１  画像表示装置
２  緑色レーザ光源装置
３  赤色レーザ光源装置
４  青色レーザ光源装置
５  空間光変調器
６  偏光ビームスプリッタ
７  リレー光学系
１０  角度調整素子
１１  共通コリメータレンズ
１２、１３、１４  ダイクロイックミラー
１５  拡散板
１６  フィールドレンズ
【図１】
2013145302.tif 000003
【図２】
2013145302.tif 000004
【図３】
2013145302.tif 000005
【図４】
2013145302.tif 000006
【図５】
2013145302.tif 000007
【図６】
2013145302.tif 000008